(57)【要約】【課題】  複数の無線方式のいずれかを的確に選択可能な無線通信装置を提供する。【解決手段】  本発明に係る無線通信装置は、アナログ部１と、ディジタル部２と、A/D＆D/A変換器３と、送受信を切り替える切替部４とを備えている。アナログ部１は、複数の無線通信システムそれぞれに対応して、アンテナ５ａ，５ｂ，５ｃと、電力増幅器６ａ，６ｂ，６ｃと、周波数変換部７ａ，７ｂ，７ｃとを有し、ディジタル部２は、ディジタル信号処理部１１と、アプリケーション部１２と、システム選択制御部１３と、メモリ１４とを有し、システム選択制御部１３にはユーザーインタフェース部１５が接続されている。接続要求条件に従って複数の無線通信システム８に優先順位を付けて複数のクラスに分類し、最も優先順位が高いクラス１に属する無線通信システム８の中からいずれか一つの無線通信システム８を選択するため、接続要求条件に適した無線通信システム８を選択できる。【選択図】  図１
2005109722.tif 000002
【特許請求の範囲】
【請求項１】
無線通信可能な複数の無線方式のうち、いずれかの無線方式を選択して無線通信を行う無線通信手段と、
少なくとも一つの接続要求条件に基づいて前記複数の無線方式に優先順位が付けられ、該優先順位に基づいて前記複数の無線方式を複数のクラスに分類した情報を記憶する記憶手段と、
前記記憶手段に記憶されたクラスに基づいて、前記無線通信手段が無線通信を行う無線方式を選択する選択手段と、を備えることを特徴とする無線通信装置。
【請求項２】
前記複数の無線方式の優先順位に基づいて、前記複数の無線方式を複数のクラスに分類するクラス分類手段をさらに備え、
前記記憶手段は、前記クラス分類手段による分類結果を記憶することを特徴とする請求項１に記載の無線通信装置。
【請求項３】
前記クラス分類手段は、複数の接続要求条件ごとに、前記複数の無線方式を複数のクラスに分類し、
前記選択手段は、前記複数の接続要求条件ごとにおけるクラスを総合的に考慮して、使用する無線方式を選択することを特徴とする請求項２に記載の無線通信装置。
【請求項４】
前記選択手段は、前記複数の接続要求条件ごとに優先順位を付けて、優先順位の高い接続要求条件に対応するクラスを優先的に考慮して、前記無線通信手段が無線通信を行う無線方式を選択することを特徴とする請求項２または３に記載の無線通信装置。
【請求項５】
前記クラス分類手段は、接続要求条件に対する達成度に基づいて前記複数のクラスに分類することを特徴とする請求項２及至４のいずれかに記載の無線通信装置。
【請求項６】
前記クラス分類手段は、複数の通信種別ごとに、少なくとも一つの接続要求条件に基づいて前記複数のクラスに分類し、
前記選択手段は、前記通信種別に応じて前記記憶手段に記憶されたクラスに基づいて、前記無線通信手段が無線通信を行う無線方式を選択することを特徴とする請求項２及至５のいずれかに記載の無線通信装置。
【請求項７】
前記クラス分類手段は、通常時およびユーザの希望条件時のそれぞれに対応して、少なくとも一つの接続条件に基づいて前記複数のクラスに分類し、
前記選択手段は、前記通常時または前記ユーザの希望条件時のいずれかに応じて前記記憶手段に記憶されたクラスに基づいて、前記無線通信手段が無線通信を行う無線方式を選択することを特徴とする請求項２及至５のいずれかに記載の無線通信装置。
【請求項８】
前記クラス分類手段は、バッテリの残容量を複数の段階に分類し、各段階に、少なくとも一つの接続条件に基づいて前記複数のクラスに分類することを特徴とする請求項２及至５のいずれかに記載の無線通信装置。
【請求項９】
前記クラス分類手段は、通信開始時および通信中のそれぞれに対応して、少なくとも一つの接続条件に基づいて前記複数のクラスに分類し、
前記選択手段は、前記通信開始時または前記通信中のいずれかに応じて前記記憶手段に記憶されたクラスに基づいて、前記無線通信手段が無線通信を行う無線方式を選択することを特徴とする請求項２及至５に記載の無線通信装置。
【請求項１０】
前記選択手段は、選択した無線方式が無線通信を行えないときに、該無線方式と同じクラスに属する他の無線方式を優先して選択することを特徴とする請求項１及至９のいずれかに記載の無線通信装置。
【請求項１１】
前記クラス分類手段は、前記複数の無線方式それぞれの互換性の度合いを示す適応度に基づいて、前記複数の無線方式を複数のクラスに分類し、
前記選択手段は、無線通信を行う無線方式を切り替える際に、前記適応度の高いクラスに属する無線方式を優先的に選択することを特徴とする請求項２及至１０のいずれかに記載の無線通信装置。
【請求項１２】
前記選択手段で選択した無線方式以外の無線方式の動作状態をモニターするモニター手段を備え、
前記選択手段は、選択中の無線方式よりも優先順位の高い無線方式が使用可能になったことが前記モニター手段により検出されたときに、該優先順位の高い無線方式が同じクラスに属している場合には、現在選択中の無線方式を継続して選択することを特徴とする請求項１及至１１のいずれかに記載の無線通信装置。
【請求項１３】
前記接続要求条件は２つ以上あり、
前記複数の無線方式ごとに、各接続要求条件に対応する重みを付加する重み付け手段と、
前記複数の無線方式ごとに、各接続要求条件に対応する重みを合算する重み合算手段と、を備え、
前記選択手段は、前記クラス分類手段で分類されたクラスと前記重み合算手段で合算された重みとに基づいて、前記無線通信手段が無線通信を行う無線方式を選択することを特徴とする請求項１及至１２のいずれかに記載の無線通信装置。
【請求項１４】
前記選択手段は、前記重み合算手段で合算された重みが所定の基準値以下になった場合に、前記無線通信手段が無線通信を行う無線方式を切り替えることを特徴とする請求項１３に記載の無線通信装置。
【請求項１５】
少なくとも一つの接続要求条件に基づいて複数の無線方式に優先順位が付けられ、該優先順位に基づいて前記複数の無線方式を複数のクラスに分類した情報を記憶し、
前記記憶されたクラスに基づいて、複数の無線方式の中からいずれかの無線方式を選択して無線通信を行うことを特徴とする無線通信方法。
【発明の詳細な説明】
【技術分野】
【０００１】
本発明は、それぞれ異なる無線方式で無線通信を行う複数の無線方式を備えた無線通信装置に関する。
【背景技術】
【０００２】
複数の無線通信システムを備えた無線通信装置が提案されている（特許文献１、特許文献２参照）。特許文献１の無線通信装置は、複数の無線通信システムを優先順位を付けて分類したテーブルに従って、いずれかの無線通信システムを選択する。これらの特許文献に開示された従来の無線通信装置は、特定の接続要求条件、例えば通信コストを優先して通信路を選択するものである。
【特許文献１】特開２００１−１９７５３８公報（第８図）
【特許文献２】特開２００２−１１２３４７公報（第１０図）
【発明の開示】
【発明が解決しようとする課題】
【０００３】
従来は、特定の接続要求条件のみで無線通信システムを選択していたため、複数の接続要求条件を考慮に入れて最適な無線通信システムを選択することができなかった。
【０００４】
また、従来は、複数の無線通信システムに対して一意に優先順位を付けていたため、優先順位が低いが十分な通信品質が保てる無線通信システムが存在しても、優先順位の高い無線通信システムが無条件に選択され、不必要なハンドオーバーが多く発生するという問題があった。
【０００５】
本発明は、このような問題点に鑑みてなされたものであり、その目的は、接続要求条件に応じて複数の無線方式のいずれかを的確に選択可能な無線通信装置および無線通信方法を提供することにある。
【課題を解決するための手段】
【０００６】
上記の目的を達成するため、本発明は、無線通信可能な複数の無線方式のうち、いずれかの無線方式を選択して無線通信を行う無線通信手段と、少なくとも一つの接続要求条件に基づいて前記複数の無線方式に優先順位が付けられ、該優先順位に基づいて前記複数の無線方式を複数のクラスに分類した情報を記憶する記憶手段と、前記記憶手段に記憶されたクラスに基づいて、前記無線通信手段が無線通信を行う無線方式を選択する選択手段と、を備える。
【発明の効果】
【０００７】
本発明によれば、複数の無線方式を複数のクラスに分類して、優先順位の高いクラスに属する無線方式を選択するため、種々の接続要求条件に最適な無線方式を選択できる。
【発明を実施するための最良の形態】
【０００８】
以下、図面を参照して、本発明の一実施形態を説明する。
【０００９】
（第１の実施形態）
図１は本発明に係る無線通信装置の一実施形態の概略構成を示すブロック図である。図１の無線通信装置は、アナログの無線信号を処理するアナログ部１と、デジタルの無線信号を処理するディジタル部２と、A/D＆D/A変換器３と、送受信を切り替える切替部４とを備えている。
【００１０】
アナログ部１は、複数の無線通信システムそれぞれに対応して、アンテナ５ａ，５ｂ，５ｃと、電力増幅器６ａ，６ｂ，６ｃと、周波数変換部７ａ，７ｂ，７ｃとを有する。なお、図１は３つの無線通信システム８ａ，８ｂ，８ｃを有する例を示すが、無線通信システムの数に特に制限はない。以下では、複数の無線通信システム８ａ，８ｂ，８ｃを総称して無線通信システム８と呼び、複数のアンテナ５ａ，５ｂ，５ｃを総称してアンテナ５と呼び、複数の電力増幅器６ａ，６ｂ，６ｃを総称して電力増幅器６と呼び、複数の周波数変換部７ａ，７ｂ，７ｃを総称して周波数変換部７と呼ぶこともある。
【００１１】
ディジタル部２は、ディジタル信号処理部１１と、アプリケーション部１２と、システム選択制御部１３と、メモリ１４とを有し、システム選択制御部１３にはユーザーインタフェース部１５が接続されている。
【００１２】
次に、図１の無線通信装置の動作を説明する。まず、通信開始時に、システム選択制御部１３は、アプリケーション部１２とユーザーインタフェース部１５からの情報を基に、通信に使用する無線通信システム８を選択する。システム選択制御部１３で使用する無線通信システム８が選択されると、例えば、メモリ１４から選択された無線通信システム８の機能を実現するソフトウエアがディジタル信号処理部１１にダウンロードされ、ディジタル信号処理部１１は選択した無線通信システム８の機能を実現する。また、アナログ部１は、使用する無線通信システム８に対応する電力増幅器６と周波数変換部７を選択し、切替部４を介してA/D＆D/A変換器３に接続される。
【００１３】
ここで、システム選択制御部１３が選択した無線通信システムが無線通信システム８ｂとすると、アナログ部１のアンテナ５ｂ、電力増幅器６ｂおよび周波数変換部７ｂが選択される。
【００１４】
この状態で、データを受信する場合、アンテナ５ｂに入力された受信データは電力増幅器６ｂで増幅されて、周波数変換部７ｂでベースバンド信号に変換された後、A/D＆D/A変換器３に入力される。A/D＆D/A変換器３でアナログ信号からディジタル信号に変換された後、ディジタル信号処理部１１で選択した無線通信システム８の符号化処理に対する復号処理が行われる。復号されたデータは、アプリケーション部１２に入力され、アプリケーションに応じた処理がなされた後、ユーザーインタフェース部１５に入力されてユーザーへと伝達される。
【００１５】
また、CRC符号などの誤り検出符号が付加されるような無線通信システム８のデータは、ディジタル信号処理部１１で復号処理された後、同ディジタル信号処理部１１で誤り検出処理が行われ、誤り検出結果はシステム選択制御部１３に送られる。システム選択制御部１３では、ディジタル信号処理部１１から送られた誤り検出結果を管理し、他システムへのハンドオーバーの要否を判断する。
【００１６】
一方、データを送信する場合、ユーザーインタフェース部１５で入力されたユーザーの要求が、アプリケーション部１２に入力されてアプリケーションに応じた処理がなされた後、ディジタル信号処理部１１に入力され、選択した無線通信システム８ｂの符号化処理が行われる。ディジタル信号処理部１１で符号化されたデータはA/D＆D/A変換器３に入力されてアナログ信号に変換された後、周波数変換部７ｂでRF周波数に周波数変換されて、アンテナ５ｂから出力される。
【００１７】
図２はシステム選択制御部１３の内部構成の一例を示すブロック図である。図示のように、システム選択制御部１３は、接続要求条件に基づいて複数の無線通信システム８を複数のクラスに分類したテーブルを作成するクラス分類部１７と、複数のクラスに分類された複数の無線通信システム８の中から一つを選択する選択部１８とを有する。
【００１８】
複数の無線通信システム８は、それぞれの優先順位に応じて複数のクラスに分類される。クラス１には最も優先順位が高い無線通信システム８が分類され、クラス２には次に優先順位が高い無線通信システム８が分類され、クラス３には最も優先順位が低い無線通信システム８が分類される。
【００１９】
図３はクラス分類部１７の処理手順の第１例を示すフローチャートである。まず、対象とする無線通信システム８がクラス１の基準を満たすか否かを、特定の接続要求条件に対する優先順位に基づいて判定する（ステップＳ１）。クラス１の基準を満たす場合には、この無線通信システム８をクラス１に分類する（ステップＳ２）。
【００２０】
クラス１の基準を満たさない場合には、クラス２の基準を満たすか否かを優先順位に基づいて判定する（ステップＳ３）。クラス２の基準を満たす場合には、この無線通信システム８をクラス２に分類する（ステップＳ４）。
【００２１】
クラス２の基準を満たさない場合には、クラス３の基準を満たすか否かを判定し（ステップＳ５）、クラス３の基準を満たす場合には、この無線通信システム８をクラス３に分類する（ステップＳ６）。
【００２２】
図４は図３の処理に従ってクラス分類部１７が作成したテーブルの一例を示す図であり、５種類の無線通信システム８ａ〜８ｅを分類する例を示している。優先順位が最も高いクラス１には無線通信システム８ｂ，８ｅが分類され、その次に優先順位が高いクラス２には無線通信システム８ａが分類され、最も優先順位が低いクラス３には無線通信システム８ｃ，８ｄが分類される。
【００２３】
図５は図４のテーブルが作成された場合に選択部１８が行う処理手順の第１例を示すフローチャートである。まず、クラス１に属する無線通信システム８が存在するか否かを判定し（ステップＳ１１）、存在する場合には、クラス１に属する無線通信システム８の中から一つを選択する（ステップＳ１２）。ここで、クラス１に複数の無線通信システム８が存在する場合には、他の接続要求条件に基づいていずれか一つの無線通信システム８を選択する。
【００２４】
クラス１に属する無線通信システム８が存在しない場合には、クラス２に属する無線通信システム８が存在するか否かを判定し（ステップＳ１３）、存在する場合には、クラス２に属する無線通信システム８の中から一つを選択する（ステップＳ１４）。
【００２５】
クラス２に属する無線通信システム８が存在しない場合には、クラス３に属する無線通信システム８が存在するか否かを判定し（ステップＳ１５）、存在する場合には、クラス３に属する無線通信システム８の中から一つを選択する（ステップＳ１６）。
【００２６】
図６は接続要求条件を通信品質ＱoＳ（Quality of Service）としてクラス分類した場合のテーブルの一例を示す図である。８つの無線通信システム８ａ〜８ｈのうち５つの無線通信システム８ａ〜８ｅがクラス１に分類され、無線通信システム８ｆ，８ｇがクラス２に分類され、無線通信システム８ｈがクラス３に分類されている。
【００２７】
なお、図４や図６では、３つのクラス１〜３に分類する例を説明したが、クラスの数に特に制限はない。
【００２８】
このように、第１の実施形態では、接続要求条件に従って複数の無線通信システム８に優先順位を付けて複数のクラスに分類し、最も優先順位が高いクラス１に属する無線通信システム８の中からいずれか一つの無線通信システム８を選択するため、接続要求条件に適した無線通信システム８を選択できる。
【００２９】
（第２の実施形態）
第２の実施形態は、２つの接続要求条件ごとに複数の無線通信システム８を複数のクラスに分類するものである。
【００３０】
無線通信装置の第２の実施形態は、図１と同様の構成を備えている。図７はクラス分類部１７が作成したテーブルの一例を示す図である。クラス分類部１７は、接続要求条件１，２のそれぞれについて、図３と同じ処理を行って図７のテーブルを作成する。
【００３１】
図７に示すように、接続要求条件１に基づいてクラス分類を行うと、最も優先順位の高いクラス１には無線通信システム８ｂ，８ｅが分類され、次に優先順位の高いクラス２には無線通信システム８ａが分類され、最も優先順位の低いクラス３には無線通信システム８ｃ，８ｄが分類される。また、接続要求条件２に基づいてクラス分類を行うと、クラス１には無線通信システム８ｃが分類され、クラス２には無線通信システム８ｂ，８ｄが分類され、クラス３には無線通信システム８ａ，８ｅが分類される。
【００３２】
使用する無線通信システム８を選択するにあたり、まず、接続要求条件１によるクラス分類により、優先順位の最も高いクラス１に属する無線通信システム８ｂと無線通信システム８ｅが選択の候補となる。続いて、接続要求条件２によるクラス分類により、無線通信システム８ｂはクラス２に分類され、無線通信システム８ｅはクラス３に分類される。よって、接続要求条件１では同一クラスに属するが、接続要求条件２で優先順位の高いクラス２に属する無線通信システム８ｂが、使用する無線通信システム８として選択される。
【００３３】
このように、２つの接続要求条件１，２に基づいて無線通信システム８を選択するため、複数の接続条件を満たす最適な無線通信システム８を選択できる。
【００３４】
次に、第２の実施形態の具体例を説明する。図８は、接続要求条件１を消費電力とし、接続要求条件２を回線空き容量として、８つの無線通信システム８ａ〜８ｈを５つのクラスに分類したテーブルの一例を示している。
【００３５】
図８では、接続要求条件１である消費電力に基づいて、無線通信システム８ｆ，８ｇ，８ｈがクラス１に、無線通信システム８ｄ，８ｅがクラス２に、無線通信システム８ａ，８ｂ，８ｃがクラス３に分類される。このクラス分類の基準は、例えば、クラス１は消費電力の接続要求条件の基準を完全に満たす無線通信システム、クラス２は消費電力の接続要求条件の基準を完全に満たさないが多少下回る無線通信システム、クラス３は消費電力の接続要求条件の基準を大幅に下回る無線通信システム、という基準である。また、この例では無線通信システム８を３つのクラスに分類したが、必ずしも３つのクラスである必要はなく、さらに多くの或いはさらに少ないクラスに分類してもよい。
【００３６】
また、図８では、接続要求条件２である回線空き容量に基づいて、無線通信システム８ａ，８ｂがクラス１に、無線通信システム８ｄ，８ｅがクラス２に、無線通信システム８ｃ，８ｈがクラス３に、無線通信システム８ｆがクラス４に、無線通信システム８ｇがクラス５に分類される。
【００３７】
このクラス分類の基準は、例えば、クラス１は回線空き容量が90%程度の無線通信システム、クラス２は回線空き容量が70%の無線通信システム、クラス３は回線空き容量が50%の無線通信システム、クラス４は回線空き容量が30%の無線通信システム、クラス５は回線空き容量が10%の無線通信システムという基準である。また、この例では無線通信システム８を５つのクラスに分類したが、必ずしも５つのクラスである必要はなく、さらに多くの或いはさらに少ないクラスに分類してもよい。
【００３８】
図９は図８のテーブルが作成された場合に選択部１８が行う処理手順の第２例を示すフローチャートである。まず、接続要求条件１として消費電力を設定し（ステップＳ２１）、クラス１に属する無線通信システム８が存在するか否かを判定し（ステップＳ２２）、存在する場合には、接続要求条件２として回線空き容量を設定する（ステップＳ２３）。
【００３９】
次に、接続要求条件２に基づいて分類されたクラス１に属する無線通信システム８が存在するか否かを判定し（ステップＳ２４）、存在する場合には、その中からいずれか一つを選択する（ステップＳ２５）。
【００４０】
ステップＳ２４の判定が否定された場合は、接続要求条件２に基づいて分類されたクラス２に属する無線通信システム８が存在するか否かを判定し（ステップＳ２６）、存在する場合には、その中からいずれか一つを選択する（ステップＳ２７）。
【００４１】
ステップＳ２６の判定が否定された場合は、接続要求条件２に基づいて分類されたクラス３に属する無線通信システム８が存在するか否かを判定し（ステップＳ２８）、存在する場合には、その中からいずれか一つを選択する（ステップＳ２９）。
【００４２】
ステップＳ２８の判定が否定された場合は、接続要求条件２に基づいて分類されたクラス４に属する無線通信システム８が存在するか否かを判定し（ステップＳ３０）、存在する場合には、その中からいずれか一つを選択する（ステップＳ３１）。
【００４３】
ステップＳ３０の判定が否定された場合は、接続要求条件２に基づいて分類されたクラス５に属する無線通信システム８が存在するか否かを判定し（ステップＳ３２）、存在する場合には、その中からいずれか一つを選択する（ステップＳ３３）。
【００４４】
一方、ステップＳ２２で接続要求条件１に基づいて分類されたクラス１に属する無線通信システム８が存在しない場合には、接続要求条件１に基づいて分類されたクラス２に属する無線通信システム８が存在するか否かを判定し（ステップＳ３４）、存在する場合には、ステップＳ２３〜Ｓ３３の処理を行う。
【００４５】
また、ステップＳ３４で接続要求条件１に基づいて分類されたクラス２に属する無線通信システム８が存在しない場合には、接続要求条件１に基づいて分類されたクラス３に属する無線通信システム８が存在するか否かを判定し（ステップＳ３５）、存在する場合には、ステップＳ２３〜Ｓ３３の処理を行う。
【００４６】
このように、第２の実施形態では、２つの接続要求条件ごとに複数の無線通信システム８を複数のクラスに分類し、２つの接続要求条件を考慮に入れて無線通信システム８を選択するため、２つの接続要求条件に最も合致した無線通信システム８を選択できる。
【００４７】
（第３の実施形態）
第３の実施形態は、３つの接続要求条件ごとに複数の無線通信システム８を複数のクラスに分類し、かつこれら接続要求条件に優先順位を付けるものである。
【００４８】
無線通信装置の第３の実施形態は、図１と同様の構成を備えている。図１０はクラス分類部１７が作成したテーブルの一例を示す図である。クラス分類部１７は、接続要求条件１〜３のそれぞれについて、図３と同じ処理を行って図１０のテーブルを作成する。
【００４９】
図１０に示すように、接続要求条件１に基づいて、最も優先順位が高いクラス１には無線通信システム８ａ，８ｃが分類され、次に優先順位が高いクラス２には無線通信システム８ｅが分類され、最も優先順位が低いクラス３には無線通信システム８ｂ，８ｄが分類される。また、接続要求条件２に基づいて、クラス１には無線通信システム８ａ，８ｃ，８ｅが分類され、クラス２には無線通信システム８ｂ，８ｄが分類される。また、接続要求条件３に基づいて、クラス１には無線通信システム８ｂが分類され、クラス２には無線通信システム８ｃ，８ｄが分類され、クラス３には無線通信システム８ａ，８ｅが分類される。
【００５０】
接続要求条件１〜３には優先順位が付けられており、接続要求条件１が最も優先順位が高く、次が接続要求条件２で、接続要求条件３が最も優先順位が低い。
【００５１】
使用する無線通信システム８を選択するにあたり、まず、優先順位が最も高い接続要求条件１によるクラス分類を行って、優先順位の最も高いクラス１に属する無線通信システム８ａ，８ｃが選択の候補となる。
【００５２】
次に、優先順位が２位の接続要求条件２によるクラス分類によると、無線通信システム８ａ，８ｃもクラス１に分類されるため、使用する無線通信システム８はこの段階では決定できない。優先順位が３位の接続要求条件３によるクラス分類により、無線通信システム８ｃはクラス２に分類され、無線通信システム８ａはクラス３に分類される。よって、優先順位が１位の接続要求条件１および優先順位が２位の接続要求条件２では同一クラスに属するが、優先順位が３位の接続要求条件３に基づいて分類された優先順位の高いクラス２に属する無線通信システム８ｃが、使用する無線通信システム８として選択される。
【００５３】
このように、優先順位が１位の第１の接続要求条件と優先順位が２位の第２の接続要求条件、および優先順位が３位の第３の接続要求条件の、３つの接続要求条件の基準に基づいた無線通信システム８の選択が行われ、複数の接続条件を満たす最適な無線通信システム８を選択できる。
【００５４】
ここでは、優先順位付けされた３つの接続要求条件１〜３の基準に基づくクラス分類に基づいて無線通信システム８を選択する例を説明したが、接続要求条件は必ずしも３つである必要はなく、これ以上またはこれ以下の優先順位付けされた接続要求条件の基準に基づくクラス分類によって、使用する無線通信システム８を選択してもよい。
【００５５】
以下、第３の実施形態の具体例を説明する。図１１は、優先順位が１位の接続要求条件１として通信品質（QoS）を、優先順位が２位の接続要求条件としてサービスエリアを、優先順位が３位の接続要求条件として通信コストを、優先順位が４位の接続要求条件として消費電力を設定し、８つの無線通信システム８ａ〜８ｈを５つのクラスに分類したテーブルの一例を示す図である。
【００５６】
図１１では、優先順位が１位の接続要求条件であるQoSの基準にしたがい、無線通信システム８ｄ〜８ｈがクラス１に、無線通信システム８ｂ，８ｃがクラス２に、無線通信システム８ａがクラス３に分類される。このクラス分類の基準は、例えば、クラス１はQoSの要求条件を完全に満たす無線通信システム、クラス２はQoSの接続要求条件の基準を完全に満たさないが多少下回る無線通信システム、クラス３はQoSの接続要求条件の基準を大幅に下回る無線通信システム、という基準である。また、この例では無線通信システム８を３つのクラスに分類したが、必ずしも３つのクラスである必要はなく、さらに多くの或いはさらに少ないクラスに分類してもよい。
【００５７】
また、優先順位が２位の接続要求条件であるサービスエリアの基準にしたがい、無線通信システム８ａ，８ｄ，８ｅ，８ｈがクラス１に、無線通信システム８ｃ，８ｆがクラス２に、無線通信システム８ｂ，８ｇがクラス３に分類される。このクラス分類の基準は、例えば、クラス１はサービスエリアが人口カバー率90%以上の無線通信システム、クラス２はサービスエリアが人口カバー率70%の無線通信システム、クラス３はサービスエリアが人口カバー率50%の無線通信システムという基準である。また、この例では無線通信システム８を３つのクラスに分類したが、必ずしも３つのクラスである必要はなく、さらに多くの或いはさらに少ないクラスに分類してもよい。
【００５８】
続いて、優先順位が３位の接続要求条件である通信コストの基準にしたがい、無線通信システム８ａ，８ｂがクラス１に、無線通信システム８ｄ，８ｅ，８ｇがクラス２に、無線通信システム８ｃ，８ｈがクラス３に、無線通信システム８ｆがクラス４に分類される。このクラス分類の基準は、例えば、クラス１は通信コストが単位量当たり10円程度の無線通信システム、クラス２は通信コストが単位量当たり30円程度の無線通信システム、クラス３は通信コストが単位量当たり50円程度の無線通信システム、クラス４は単位量当たり100円程度の無線通信システムという基準である。また、この例では無線通信システム８を４つのクラスに分類したが、必ずしも４つのクラスである必要はなく、さらに多くの或いはさらに少ないクラスに分類してもよい。
【００５９】
続いて、優先順位が４位の接続要求条件である消費電力の基準にしたがい、無線通信システム８ａ，８ｅがクラス１に、無線通信システム８ｄ，８ｆがクラス２に、無線通信システム８ｃ，８ｈがクラス３に、無線通信システム８ｂがクラス４に、無線通信システム８ｇがクラス５に分類される。このクラス分類の基準は、例えば、クラス１は消費電力が連続使用可能時間10時間程度の無線通信システム、クラス２は消費電力が連続使用時間５時間程度の無線通信システム、クラス３は消費電力が連続使用時間3時間の無線通信システム、クラス４は連続使用時間２時間程度の無線通信システム、クラス５は連続使用時間１時間程度の無線通信システムという基準である。また、この例では無線通信システム８を５つのクラスに分類したが、必ずしも５つのクラスである必要はなく、さらに多くの或いはさらに少ないクラスに分類してもよい。
【００６０】
図１２は図１１のテーブルが作成された場合に選択部１８が行う処理手順の第３例を示すフローチャートである。まず、接続要求条件１として通信品質（QoS）を設定し（ステップＳ４１）、接続要求条件１に基づいて分類されたクラス１に属する無線通信システム８が存在するか否かを判定する（ステップＳ４２）。このような無線通信システム８が存在すれば、接続要求条件２としてサービスエリアを設定し（ステップＳ４３）、接続要求条件２に基づいて分類されたクラス１に属する無線通信システム８が存在するか否かを判定する（ステップＳ４４）。このような無線通信システム８が存在する場合には、接続要求条件３として通信コストを設定し（ステップＳ４５）、接続要求条件３に基づいて分類されたクラス１に属する無線通信システム８が存在するか否かを判定する（ステップＳ４６）。このような無線通信システム８が存在すれば、接続要求条件４として消費電力を設定し（ステップＳ４７）、接続要求条件４に基づいて分類されたクラス１に属する無線通信システム８が存在するか否かを判定する（ステップＳ４８）。このような無線通信システム８が存在すれば、このクラス１に属する無線通信システム８の中から一つを選択する（ステップＳ４９）。
【００６１】
一方、ステップＳ４８で存在しないと判定されると、接続要求条件４に基づいて分類されたクラス２に属する無線通信システム８が存在するか否かを判定する（ステップＳ５０）。このような無線通信システム８が存在すれば、このクラス２に属する無線通信システム８の中から１つを選択する（ステップＳ５１）。
【００６２】
一方、ステップＳ５０で存在しないと判定されると、接続要求条件４に基づいて分類されたクラス３に属する無線通信システム８が存在するか否かを判定する（ステップＳ５２）。このような無線通信システム８が存在すれば、このクラス３に属する無線通信システム８の中から１つを選択する（ステップＳ５３）。
【００６３】
一方、ステップＳ５２で存在しないと判定されると、接続要求条件４に基づいて分類されたクラス４に属する無線通信システム８が存在するか否かを判定する（ステップＳ５４）。このような無線通信システム８が存在すれば、このクラス４に属する無線通信システム８の中から１つを選択する（ステップＳ５５）。
【００６４】
一方、ステップＳ５４で存在しないと判定されると、接続要求条件４に基づいて分類されたクラス５に属する無線通信システム８が存在するか否かを判定する（ステップＳ５６）。このような無線通信システム８が存在すれば、このクラス５に属する無線通信システム８の中から１つを選択する（ステップＳ５７）。
【００６５】
上述したステップＳ４７〜Ｓ５７の処理は、ステップＳ５８，Ｓ５９，Ｓ６０の判定が肯定された場合も順に行われる。また、上述したステップＳ４５〜Ｓ５７の処理は、ステップＳ６１，Ｓ６２の判定が肯定された場合も行われる。また、上述したステップＳ４３〜Ｓ５７の処理は、ステップＳ６３，Ｓ６４の判定が肯定された場合も行われる。
【００６６】
図１２の処理によれば、使用する無線通信システム８を選択するにあたり、まず、優先順位が１位の接続要求条件であるQoSの基準によるクラス分類により、優先順位の最も高いクラス１に属する無線通信システム８ｄ〜８ｈが選択の候補となる。次に、この５つの選択候補の中では優先順位が２位の接続要求条件であるサービスエリアの基準によるクラス分類により、無線通信システム８ｄ，８ｅ，８ｈはクラス１に、無線通信システム８ｆはクラス２に、無線通信システム８ｇはクラス３に分類される。したがって、優先順位が１位のQoSの接続要求条件では同一クラスに属するが、優先順位が２位のサービスエリアの接続要求条件に基づいて分類された最も優先順位の高いクラス１に属する無線通信システム８ｄ，８ｅ，８ｈが選択の候補として残る。
【００６７】
続いて、優先順位が３位の接続要求条件である通信コストによるクラス分類により、無線通信システム８ｄ，８ｅはクラス２に、無線通信システム８ｈはクラス３に分類される。したがって、優先順位が２位のサービスエリアの接続要求条件では同一クラスに属するが、優先順位が３位の通信コストの接続要求条件に基づいて分類された最も優先順位の高いクラスに属する無線通信システム８ｄ，８ｅが選択の候補として残る。
【００６８】
そして、優先順位が４位の接続要求条件である消費電力によるクラス分類により、無線通信システム８ｅはクラス１に、無線通信システム８ｄはクラス２に分類される。優先順位が３位の通信コストの接続要求条件では同一クラスに属するが、優先順位が４位の消費電力の接続要求条件において属するクラスの優先順位が最も高い無線通信システム８ｅが、使用する無線通信システム８として選択される。
【００６９】
このように、第３の実施形態では、優先順位付けされた接続要求条件１〜４を考慮に入れて無線通信システム８を選択することができ、複数の接続条件を満たす最適な無線通信システム８を選択できる。
【００７０】
ここでは、QoS、サービスエリア、通信コストおよび消費電力という優先順位付けされた４つの接続要求条件の基準に基づくクラス分類により、使用する無線通信システム８を選択する例について述べたが、接続要求条件は必ずしも４つである必要はなく、これ以上またはこれ以下の優先順位付けされた接続要求条件の基準に基づくクラス分類によって、使用する無線通信システム８を選択してもよい。
【００７１】
（第４の実施形態）
第４の実施形態は、接続要求条件に対する無線通信システムの達成度に基づいて、複数の無線通信システム８を複数のクラスに分類するものである。
【００７２】
無線通信装置の第４の実施形態は、図１と同様の構成を備えている。図１３はクラス分類部１７の処理手順の一例を示すフローチャートであり、図１３（ａ）は接続要求条件１に基づいてクラス分類する処理手順、図１３（ｂ）は接続要求条件２に基づいてクラス分類する処理手順、図１３（ｃ）は接続要求条件３に基づいてクラス分類する処理手順を示している。
【００７３】
接続要求条件１に基づいてクラス分類を行う場合、まず、対象とする無線通信システム８の接続要求条件１に対する達成度が100％か否かを判定し（ステップＳ７１）、100％であればクラス１に分類する（ステップＳ７２）。達成度が100％でなければ、80％か否かを判定し（ステップＳ７３）、80％であればクラス２に分類し（ステップＳ７４）、80％でなければクラス３に分類する（ステップＳ７５）。
【００７４】
接続要求条件２に基づいてクラス分類を行う場合、まず、対象とする無線通信システム８の接続要求条件１に対する達成度が100％か否かを判定し（ステップＳ７６）、100％であればクラス１に分類する（ステップＳ７７）。達成度が100％でなければ、80％か否かを判定し（ステップＳ７８）、80％であればクラス２に分類し（ステップＳ７９）、80％でなければ、50％か否かを判定し（ステップＳ８０）、50％であればクラス３に分類する（ステップＳ８１）。
【００７５】
接続要求条件３に基づいてクラス分類を行う場合、まず、対象とする無線通信システム８の接続要求条件１に対する達成度が100％か否かを判定し（ステップＳ８２）、100％であればクラス１に分類する（ステップＳ８３）。達成度が100％でなければ、50％か否かを判定し（ステップＳ８４）、50％であればクラス２に分類し（ステップＳ８５）、50％でなければ、30％か否かを判定し（ステップＳ８６）、30％であればクラス３に分類する（ステップＳ８７）。
【００７６】
図１４は図１３の処理により作成されるテーブルの一例を示す図である。図１４において、優先順位が１位の接続要求条件１に対する達成度に従って複数の無線通信システム８をクラス分類している。クラス１には接続要求条件１に対する達成度が100%の無線通信システム８ａ，８ｃが、クラス２には接続要求条件１に対する達成度が80%の無線通信システム８ｅが、クラス３には接続要求条件１に対して達成が不可能な無線通信システム８ｂ，８ｄが分類されている。クラス３に属する無線通信システム８ｂ，８ｄは、接続要求条件１に対して達成が不可能であるため、いかなる場合でも、無線通信システム８の選択の候補には選ばれない。また、優先順位が２位の接続要求条件２に対する達成度にしたがい、クラス１には接続要求条件２に対する達成度が100%の無線通信システム８ｂが、クラス２には接続要求条件２に対する達成度が80%の無線通信システム８ａ，８ｃ，８ｅが、クラス３には接続要求条件２に対する達成度が50%の無線通信システム８ｄが分類されている。さらに、優先順位が３位の接続要求条件３の達成度にしたがい、クラス１には接続要求条件３に対する達成度が100%の無線通信システム８ｂが、クラス２には接続要求条件３に対する達成度が50%の無線通信システム８ｃ，８ｄが、クラス３には接続要求条件３に対する達成度が30%の無線通信システム８ａ，８ｅが分類されている。
【００７７】
使用する無線通信システム８を選択するにあたり、まず、優先順位が１位の接続要求条件１によるクラス分類により、優先順位の最も高いクラス１に属する無線通信システム８ａ，８ｃが選択の候補となる。クラス３に属する無線通信システム８ｂ，８ｄはいかなる場合でも無線通信システム８の選択の候補にはならない。次に、優先順位が２位の接続要求条件２によるクラス分類によると、無線通信システム８ａ，８ｃはクラス２に分類されるため、使用する無線通信システム８はこの段階では決定されない。優先順位が３位の接続要求条件３によるクラス分類により、無線通信システム８ｃはクラス２に分類され、無線通信システム８ａはクラス３に分類される。よって、優先順位が１位の接続要求条件１および優先順位が２位の接続要求条件２では同一クラスに属するが、優先順位が３位の接続要求条件３において属するクラスの優先順位が高い無線通信システム８ｃが、使用する無線通信システム８として選択される。
【００７８】
このように、接続要求条件に対する達成度を基準として複数の無線通信システム８をクラス分類することにより、詳細な無線通信システム８のクラス分類が行われ、より最適な無線通信システム８の選択が可能となる。
【００７９】
ここでは、優先順位付けされた３つの接続要求条件の達成度に基づくクラス分類により、使用する無線通信システム８を選択する例について述べたが、接続要求条件は必ずしも３つである必要はなく、これ以上またはこれ以下の優先順位付けされた接続要求条件の基準に基づくクラス分類によって使用する無線通信システム８を選択してもよい。また、接続要求条件に対して無線通信システム８を３つのクラスに分類する例を示したが、必ずしも３つのクラスに分類する必要はなく、これ以上またはこれ以下のクラスに分類してもよい。
【００８０】
以下に、第４の実施形態の具体例を説明する。図１５は、優先順位が１位の接続要求条件１として通信品質（QoS）を、優先順位が２位の接続要求条件としてサービスエリアを、優先順位が３位の接続要求条件として通信コストを、優先順位が４位の接続要求条件として消費電力を設定し、８つの無線通信システム８ａ〜８ｈを５つのクラスに分類したテーブルの一例を示す図である。
【００８１】
図１５では、優先順位が１位の接続要求条件であるQoSに対する達成度にしたがい、達成度が100%の無線通信システム８ａ，８ｂ，８ｃ，８ｇ，８ｈがクラス１に、達成度が80%の無線通信システム８ｄ，８ｅがクラス２に、QoSの接続要求条件に対して達成が不可能である無線通信システム８ｆがクラス３に分類される。クラス３に属する無線通信システム８ｆは、QoSの接続要求条件に対して達成が不可能であるため、いかなる場合においても無線通信システム８の選択の候補には選ばれない。この例では無線通信システム８を３つのクラスに分類したが、必ずしも３つのクラスである必要はなく、さらに多くの或いはさらに少ないクラスに分類してもよい。
【００８２】
また、優先順位が２位の接続要求条件であるサービスエリアの達成度にしたがい、達成度が100%の無線通信システム８ｄ，８ｅがクラス１に、達成度が80%の無線通信システム８ａ，８ｇ，８ｈがクラス２に、サービスエリアの接続要求条件に対して達成が不可能である無線通信システム８ｂ，８ｃ，８ｆがクラス３に分類される。クラス３に属する無線通信システム８ｂ，８ｃ，８ｆは、サービスエリアの接続要求条件に対して達成が不可能であるため、いかなる場合においても無線通信システム８の選択の候補には選ばれない。この例では無線通信システム８を３つのクラスに分類したが、必ずしも３つのクラスである必要はなく、さらに多くの或いはさらに少ないクラスに分類してもよい。
【００８３】
続いて、優先順位が３位の接続要求条件である通信コストの達成度にしたがい、達成度が100%の無線通信システム８ｂ，８ｃがクラス１に、達成度が80%の無線通信システム８ｄ，８ｅがクラス２に、達成度が60%の無線通信システム８ｇ，８ｈがクラス３に、達成度が40%の無線通信システム８ｆがクラス４に、達成度が20%の無線通信システム８ａがクラス５に分類される。この例では無線通信システム８を5つのクラスに分類したが、必ずしも5つのクラスである必要はなく、さらに多くの或いはさらに少ないクラスに分類してもよい。
【００８４】
さらに、優先順位が４位の接続要求条件である消費電力の達成度にしたがい、達成度が100%の無線通信システム８ａ，８ｅがクラス１に、達成度が90%の無線通信システム８ｄ，８ｆがクラス２に、達成度が50%の無線通信システム８ｃ，８ｈがクラス３に、達成度が30%の無線通信システム８ｂがクラス４に、消費電力の接続要求条件に対して達成が不可能である無線通信システム８ｇがクラス５に分類される。クラス５に属する無線通信システム８ｇは、消費電力の接続要求条件に対して達成が不可能であるため、いかなる場合においても無線通信システム８の選択の候補には選ばれない。また、この例では無線通信システム８を５つのクラスに分類したが、必ずしも５つのクラスである必要はなく、さらに多くの或いはさらに少ないクラスに分類してもよい。
【００８５】
第４の実施形態の選択部１８が行う処理手順は、図１２のフローチャートと同様である。使用する無線通信システム８を選択するにあたり、まず、優先順位が１位の接続要求条件であるQoSによるクラス分類により、優先順位の最も高いクラス１に属する無線通信システム８ａ，８ｂ，８ｃ，８ｇ，８ｈが選択の候補となる。
【００８６】
次に、優先順位が２位の接続要求条件であるサービスエリアによるクラス分類により、無線通信システム８ａ，８ｇ，８ｈはクラス２に、無線通信システム８ｂ，８ｃはクラス３に分類される。したがって、優先順位が１位のQoSの接続要求条件では同一クラスに属するが、優先順位が２位のサービスエリアの接続要求条件において属するクラスの優先順位が最も高い無線通信システム８ａ，８ｇ，８ｈが選択の候補として残る。
【００８７】
続いて、優先順位が３位の通信コストの接続要求条件によるクラス分類により、無線通信システム８ｇ、８ｈはクラス３に、無線通信システム８ａはクラス５に分類される。したがって、優先順位が２位のサービスエリアの接続要求条件では同一クラスに属するが、優先順位が３位の通信コストの接続要求条件において属するクラスの優先順位が最も高い無線通信システム８ｇ，８ｈが選択の候補として残る。そして、優先順位が４位の消費電力の接続要求条件によるクラス分類により、無線通信システム８ｈはクラス３に、無線通信システム８ｇは消費電力の接続要求条件に対して達成が不可能なクラス５に分類される。優先順位が３位の通信コストの接続要求条件では同一クラスに属するが、無線通信システム８ｇは優先順位が４位の消費電力の接続要求条件に対して達成が不可能であるため、無線通信システム８の選択の候補から消去され、無線通信システム８ｈが使用する無線通信システム８として選択される。
【００８８】
ここで、例えば、使用する無線通信システム８として選択された無線通信システム８ｈの通信品質が劣化し、他の無線通信システム８にハンドオーバーするような場合であっても、消費電力の接続要求条件に対して達成が不可能な無線通信システム８ｇは、ハンドオーバー先の無線通信システム８の候補とはならない。
【００８９】
このように、第４の実施形態では、優先順位付けされた接続要求条件１〜４について、各接続要求条件に対する達成度の基準に基づいたクラス分類による無線通信システム８を選択するため、複数の接続条件を満たすより詳細な基準での最適な無線通信システム８の選択が可能となる。
【００９０】
ここでは、QoS、サービスエリア、通信コストおよび消費電力という優先順位付けされた４つの接続要求条件に対する達成度に基づくクラス分類により、使用する無線通信システム８を選択する例について述べたが、クラス分類する基準は必ずしも接続要求条件に対する達成度である必要はなく、他の基準に基づくクラス分類によって、使用する無線通信システム８を選択してもよい。
【００９１】
（第５の実施形態）
第５の実施形態は、複数のアプリケーションごとにクラス分類するものである。
【００９２】
無線通信装置の第５の実施形態は、図１と同様の構成を備えている。図１６はクラス分類部１７が作成したテーブルの一例を示す図である。図１６において、アプリケーション１の場合には、優先順位が１位の接続要求条件Ｐ、優先順位が２位の接続要求条件Ｒ、優先順位が３位の接続要求条件Ｑの基準を基に無線通信システム８ａ〜８ｅをクラス分類しているのに対し、アプリケーション２の場合には、優先順位が１位の接続要求条件Ｑ、優先順位が２位の接続要求条件Ｒ、優先順位が３位の接続要求条件Ｓの基準を基に無線通信システム８ａ〜８ｅのクラス分類を行っている。
【００９３】
アプリケーション１の場合には、優先順位が１位の接続要求条件Ｐと優先順位が２位の接続要求条件Ｒの基準を基にしたクラス分類のうち、最も優先順位の高いクラスに属する無線通信システム８ｃ，８ｄが無線通信システム８の選択の候補となり、優先順位が３位の接続要求条件Ｑの基準を基にしたクラス分類において、無線通信システム８ｃは優先順位が最も高いクラス１に属し、無線通信システム８ｄは優先順位が２位のクラス２に属するため、最終的に無線通信システム８ｃが使用する無線通信システム８として選択される。
【００９４】
アプリケーション２の場合には、優先順位が１位の接続要求条件Ｑと優先順位が２位の接続要求条件Ｐの基準を基にしたクラス分類のうち、最も優先順位の高いクラスに属する無線通信システム８ａ，８ｃが無線通信システム８の選択の候補となり、優先順位が３位の接続要求条件Ｓの基準を基にしたクラス分類において、無線通信システム８ａは優先順位が２位のクラス２に属し、無線通信システム８ｃは優先順位が３位のクラス３に属するため、最終的に無線通信システム８ａが使用する無線通信システム８として選択される。
【００９５】
このように、アプリケーションごとに接続要求条件、或は接続要求条件の優先順位を変えることによって、アプリケーションに応じた最適な無線通信システム８の選択が可能となる。ここでは、優先順位付けされた３つの接続要求条件の基準に基づくクラス分類により、アプリケーションごとに使用する無線通信システム８を選択する例について述べたが、接続要求条件は必ずしも３つである必要はなく、これ以上またはこれ以下の優先順位付けされた接続要求条件の基準に基づくクラス分類によって使用する無線通信システム８を選択してもよい。
【００９６】
以下に、第５の実施形態の具体例を説明する。図１７は、アプリケーション１を音声通話、アプリケーション２を動画ストリーミングとし、アプリケーションが音声通話の場合は優先順位が１位の接続要求条件をサービスエリア、優先順位が２位の接続要求条件をセル半径として、アプリケーションが動画ストリーミングの場合は優先順位が１位の接続要求条件をＱｏＳ、優先順位が２位の接続要求条件を通信コスト、優先順位が３位の接続要求条件を消費電力として、８つの無線通信システム８ａ〜８ｈを５つのクラスに分類したテーブルの一例を示す図である。
【００９７】
図１７では、アプリケーションが音声通話の場合に、例えば移動しながら通話しているとすると、広いエリアで通話し、システム内のハンドオーバーはできる限り避けたいため、優先順位が１位の接続要求条件としてサービスエリアを、優先順位が２位の接続要求条件としてセル半径を取り上げ、それらの接続要求条件の基準を基に無線通信システム８ａ〜８ｈをクラス分類しているのに対し、アプリケーションが動画ストリーミングの場合は、例えば静止受信しているが伝送データサイズが大きく、かつ低いコストで長時間の受信を行いたいため、優先順位が１位の接続要求条件としてQoSを、優先順位が２位の接続要求条件として通信コストを、優先順位が３位の接続要求条件として消費電力を取り上げ、それらの接続要求条件の基準を基に無線通信システム８ａ〜８ｈのクラス分類を行っている。
【００９８】
図１８は、アプリケーションが音声通話の場合に、選択部１８が図１７のテーブルに基づいて無線通信システム８を選択する処理手順を示すフローチャートである。まず、接続要求条件１としてサービスエリアを設定する（ステップＳ９１）。次に、クラス１に属する無線通信システム８が存在するか否かを判定し（ステップＳ９２）、存在すれば、接続要求条件２としてセル半径を設定する（ステップＳ９３）。次に、候補中にクラス１に属する無線通信システム８が存在するか否かを判定し（ステップＳ９４）、存在すれば、クラス１に属する無線通信システム８の中から一つを選択する（ステップＳ９５）。
【００９９】
ステップＳ９４で存在しないと判定されると、候補中にクラス２に属する無線通信システム８が存在するか否かを判定し（ステップＳ９６）、存在すれば、クラス２に属する無線通信システム８の中から一つを選択する（ステップＳ９７）。
【０１００】
ステップＳ９６で存在しないと判定されると、候補中にクラス３に属する無線通信システム８が存在するか否かを判定し（ステップＳ９８）、存在すれば、クラス３に属する無線通信システム８の中から一つを選択する（ステップＳ９９）。
【０１０１】
ステップＳ９８で存在しないと判定されると、候補中にクラス４に属する無線通信システム８が存在するか否かを判定し（ステップＳ１００）、存在すれば、クラス４に属する無線通信システム８の中から一つを選択する（ステップＳ１０１）。
【０１０２】
ステップＳ１００で存在しないと判定されると、候補中にクラス５に属する無線通信システム８が存在するか否かを判定し（ステップＳ１０２）、存在すれば、クラス５に属する無線通信システム８の中から一つを選択する（ステップＳ１０３）。
【０１０３】
また、ステップＳ９２でクラス１に属する無線通信システム８が存在しないと判定されると、候補中のクラス２に属する無線通信システム８が存在するか否かを判定し（ステップＳ１０４）、存在すれば、上述したステップＳ９３〜Ｓ１０３の処理を行う。
【０１０４】
また、ステップＳ１０４でクラス２に属する無線通信システム８が存在しないと判定されると、候補中のクラス３に属する無線通信システム８が存在するか否かを判定し（ステップＳ１０５）、存在すれば、上述したステップＳ９３〜Ｓ１０３の処理を行う。
【０１０５】
また、ステップＳ１０５でクラス３に属する無線通信システム８が存在しないと判定されると、候補中のクラス４に属する無線通信システム８が存在するか否かを判定し（ステップＳ１０６）、存在すれば、上述したステップＳ９３〜Ｓ１０３の処理を行う。
【０１０６】
また、ステップＳ１０６でクラス４に属する無線通信システム８が存在しないと判定されると、候補中のクラス５に属する無線通信システム８が存在するか否かを判定し（ステップＳ１０７）、存在すれば、上述したステップＳ９３〜Ｓ１０３の処理を行う。
【０１０７】
図１７のテーブルを用いて図１８の処理を行うと、アプリケーションが音声通話の場合には、優先順位が１位の接続要求条件であるサービスエリアの基準を基にしたクラス分類の、最も優先順位の高いクラスに属する無線通信システム８ｆ，８ｇが無線通信システム８の選択の候補となり、優先順位が２位の接続要求条件であるセル半径の基準を基にしたクラス分類において、無線通信システム８ｇは優先順位が最も高いクラス１に属し、無線通信システム８ｆは優先順位が３位のクラス３に属するため、最終的に無線通信システム８ｇが使用する無線通信システム８として選択される。
【０１０８】
図１９は、アプリケーションが動画ストリーミングの場合に、選択部１８が図１７のテーブルに基づいて無線通信システム８を選択する処理手順を示すフローチャートである。このフローチャートの処理は、３つの接続要求条件１〜３が設けられている点を除けば図１８と同じであるため、詳細な説明を省略する。
【０１０９】
図１９の処理によれば、アプリケーションが動画ストリーミング伝送の場合には、優先順位が１位の接続要求条件である通信品質（QoS）の基準を基にしたクラス分類の最も優先順位の高いクラスに属し、優先順位が２位の接続要求条件である通信コストの基準を基にしたクラス分類の優先順位が２位であるクラス２に属する無線通信システム８ｂ，８ｃが無線通信システム８の選択の候補となり、優先順位が３位の接続要求条件である消費電力の基準を基にしたクラス分類において、無線通信システム８ｃは優先順位が３位のクラス３に属し、無線通信システム８ｂは優先順位が４位のクラス４に属するため、最終的に無線通信システム８ｃが使用する無線通信システム８として選択される。
【０１１０】
このように、第５の実施形態では、アプリケーションごとに接続要求条件、或は接続要求条件の優先順位を変えることによって、アプリケーションに応じた最適な無線通信システム８の選択が可能となる。
【０１１１】
（第６の実施形態）
第６の実施形態は、接続要求条件の適応度に基づいて複数の無線通信システム８を複数のクラスに分類するものである。
【０１１２】
無線通信装置の第６の実施形態は、図１と同様の構成を備えている。図２０はクラス分類部１７が作成したテーブルの一例を示す図であり、アプリケーションがウェブブラウジングの場合と動画ストリーミングの場合において、通信品質（QoS）の接続要求条件の適応度に基づいて複数の無線通信システム８をクラス分類したテーブルを示している。
【０１１３】
アプリケーションがウェブブラウジングの場合、伝送する情報がテキストや静止画がほとんどであるとすると、動画ストリーミングの場合に比べて必要な情報伝送速度は少なくてよい。したがって、図２０において、アプリケーションがウェブブラウジングの場合は、静止画伝送の通信品質（QoS）を満たすことが可能であり、かつ静止画伝送の通信品質（QoS）に対して過不足のない通信品質（QoS）を提供することが可能な無線通信システム８ｄ，８ｅ，８ｈが最も優先順位の高いクラス１に、静止画伝送の通信品質（QoS）を満たすが静止画伝送の通信品質（QoS）に対しては過度の通信品質（QoS）を提供する無線通信システム８ａ，８ｂ，８ｃが優先順位が２位のクラス２に、静止画伝送に要求される通信品質（QoS）を100%満たすことは不可能であるが30%程度ならば満たすことが可能な無線通信システム８ｆ，８ｇは優先順位が最も低いクラス３に属する。
【０１１４】
一方、アプリケーションが動画ストリーミング伝送の場合は、動画ストリーミング伝送に要求される通信品質（QoS）を満たすことが可能であり、かつ動画ストリーミング伝送の通信品質（QoS）に対して過不足のない通信品質（QoS）を提供することが可能な無線通信システム８ａ，８ｂ，８ｃが最も優先順位の高いクラス１に、動画ストリーミング伝送に要求される通信品質（QoS）を100%満たすことは不可能であるが50%程度ならば満たすことが可能な無線通信システム８ｄ，８ｅ，８ｈが優先順位が２のクラス２に、動画ストリーミング伝送に要求される通信品質（QoS）を満たすことが不可能な無線通信システム８ｆ，８ｇが優先順位が最も低いクラス３に属する。
【０１１５】
ここで、アプリケーションが動画ストリーミング伝送の場合に、通信品質（QoS）の接続要求条件に対して不適応であると分類されたクラス３に属する無線通信システム８ｆ，８ｇは、いかなる場合においても無線通信システム８の選択の候補には選ばれない。
【０１１６】
このように、第６の実施形態では、同じ接続要求条件に対しても、使用するアプリケーションに応じて無線通信システム８のクラス分類の優先順位或いは接続要求条件の基準を変えることにより、無線通信システム８全体の無線リソースを効率的に利用することが可能となる。
【０１１７】
次に、ユーザーの要求によって接続要求条件のクラス分類或いは接続要求条件の基準が変わる例について説明する。図２１は、アプリケーションが音声通話の場合に、通常時とユーザー希望時に複数の無線通信システム８を接続要求条件の適応度に基づいてクラス分類したテーブルを示す図である。ここでは、第１の実施形態と同様に、無線通信装置が、無線通信システム８ａ〜８ｈの８つの無線通信システム８により通信可能であるとしている。
【０１１８】
通常時は、優先順位が１位のサービスエリアの接続要求条件と優先順位が２位のセル半径の接続要求条件の適応度に基づいて無線通信システム８をクラス分類し、これらの接続要求条件の、優先順位の高いクラスに属する無線通信システム８ｇを選択して使用していたが、ユーザーにより低い通信コストでの通信が希望されたとする。
【０１１９】
この場合、優先順位が２位の接続要求条件として、セル半径の接続要求条件に替えて、通信コストの接続要求条件を用いて使用する無線通信システム８を選択することにしたとすると、優先順位が１位のサービスエリアの接続要求条件と優先順位が２位の通信コストの接続要求条件の適応度によるクラス分類において、最も優先順位の高いクラスに属する無線通信システム８ｆが使用する無線通信システム８として選択されることになる。
【０１２０】
このように、同じアプリケーションに対しても接続要求条件の優先順位を変えることにより、ユーザーの希望に応じた最適な無線通信システム８の選択が可能となる。
【０１２１】
次に、端末の状態によって接続要求条件のクラス分類或いは接続要求条件の基準が変わる例について説明する。
【０１２２】
図２２は、アプリケーションがTV電話の場合に、端末のバッテリー残量が十分な場合とバッテリー残量が少量の場合に複数の無線通信システム８を接続要求条件の適応度に基づいてクラス分類したテーブルである。ここでは、第１の実施形態と同様に、無線通信装置が、無線通信システム８ａ〜８ｈの８つの無線通信システム８により通信可能であるとしている。
【０１２３】
バッテリー残量が十分な場合は、優先順位が１位の接続要求条件として通信品質（QoS）の接続要求条件を、優先順位が２位の接続要求条件としてサービスエリアの接続要求条件を用い、使用する無線通信システム８を選択したとする。図２２に示すように、これらの接続要求条件の適応度に基づいて無線通信システム８をクラス分類すると、優先順位が高いクラスに属する無線通信システム８ａが使用する無線通信システム８として選択されることになる。
【０１２４】
続いて、バッテリー残量が少量になった場合は、優先順位が２位の接続要求条件として、サービスエリアの接続要求条件に替えて消費電力の接続要求条件を用い、さらに優先順位が３位の接続要求条件としてサービスエリアの接続要求条件を追加して、使用する無線通信システム８を選択したとする。図２２に示すように、これらの接続要求条件の適応度に基づいて無線通信システム８をクラス分類すると、優先順位が高いクラスに属する無線通信システム８ｃが、バッテリー残量が十分な場合に選択されていた無線通信システム８ａに替わって使用する無線通信システム８として選択されることになる。
【０１２５】
このように、第６の実施形態では、使用状況に応じて接続要求条件の優先順位を変えることにより、端末の状態に応じた最適な無線通信システム８の選択が可能となる。
【０１２６】
（第７の実施形態）
第７の実施形態は、モバイル環境のようにユーザの状態が変化しても通信品質が劣化しないようにするものである。
【０１２７】
無線通信装置の第７の実施形態は、図１と同様の構成を備えている。図２３は、アプリケーションが動画ストリーミングの場合に、通信開始時と通信中で複数の無線通信システム８を接続要求条件の適応度に基づいてクラス分類したテーブルの一例を示す図である。
【０１２８】
通信開始時には、優先順位が１位の接続要求条件として通信品質（QoS）の接続要求条件を、優先順位が２位の接続要求条件として通信コストの接続要求条件を、優先順位が３位の接続要求条件として消費電力を用いて、無線通信システム８を選択したとする。図２３に示すように、これらの接続要求条件の適応度に基づいて無線通信システム８をクラス分類すると、優先順位が高いクラスに属する無線通信システム８ｃが使用する無線通信システム８として選択されることになる。
【０１２９】
通信開始時には、ユーザーは静止状態で動画ストリーミングのサービスを受けていたが、動画ストリーミングのサービスを受けたまま移動を開始し、例えば無線通信システム８ｃは構内無線通信網のようなサービスエリアの比較的狭いような無線通信システム８であるため、ユーザーの移動に伴い無線通信システム８ｃのサービスエリアからはずれ、通信品質が劣化したとする。この場合、優先順位が２位の接続要求条件として、通信コストの接続要求条件に替えてサービスエリアの接続要求条件を用い、ハンドオーバー先の無線通信システム８を選択したとする。図２３に示すように、これらの接続要求条件の適応度に基づいて無線通信システム８をクラス分類すると、優先順位が高いクラスに属する無線通信システム８ａが、通信開始時に選択された無線通信システム８ｃに替わって使用する無線通信システム８として選択されることになる。
【０１３０】
このように、第７の実施形態では、通信開始時と通信中で接続要求条件を変えることにより、ユーザーの状態が変化した場合でも、通信品質を劣化させないような最適な無線通信システム８の選択が可能となる。
【０１３１】
（第８の実施形態）
第８の実施形態は、無線通信システム８の互換性を考慮に入れて無線通信システム８の切り替えを行うものである。
【０１３２】
無線通信装置の第８の実施形態は、図１と同様の構成を備えている。図２４は、アプリケーションが動画ストリーミングの場合に、通信開始時と通信中で複数の無線通信システム８を接続要求条件の適応度に基づいてクラス分類したテーブルの一例を示す図である。
【０１３３】
通信開始時には、優先順位が１位の接続要求条件として通信品質（QoS）の接続要求条件を、優先順位が２位の接続要求条件として通信コストの接続要求条件を、優先順位が３位の接続要求条件として消費電力を用いて、無線通信システム８を選択したとする。図２４に示すように、これらの接続要求条件の適応度に基づいて無線通信システム８をクラス分類すると、優先順位が高いクラスに属する無線通信システム８ｃが使用する無線通信システム８として選択されることになる。
【０１３４】
無線通信システム８ｃを用いて動画ストリーミング伝送を行っていたが、例えば、他の無線通信システム８との干渉等により、無線通信システム８ｃの通信品質が劣化し、動画ストリーミング伝送が困難になったとする。このため、他の無線通信システム８へハンドオーバーするためにハンドオーバー先の無線通信システム８を選択しなければならないが、システム切り替えによる動画ストリーミング伝送の画像の途切れをできるだけ最小限に抑えるために、瞬時にネットワークを切り替えなければならない。そのためには、現在通信に使用している無線通信システム８ｃとネットワークの互換性が高い無線通信システム８ｂを選択した方がシステム切り替えをより早く行うことができる。そこで、無線通信システム８間のネットワークの互換性等を考慮した、無線通信システム８間の相互切り替えの適応度を登録した図２５に示すテーブルを用意する。図２５は、無線通信システム８間のネットワークの互換性等を考慮に入れて、現在選択している無線通信システム８ｃに対して、他の無線通信システム８がハンドオーバー先の無線通信システム８としてどの程度適しているかを示したテーブルである。
【０１３５】
今の場合、ハンドオーバー先の無線通信システム８を選択するにあたり、優先順位が２位の接続要求条件として、通信コストの接続要求条件に替えて現在選択中の無線通信システム８ｃとの互換性の接続要求条件を用い、ハンドオーバー先の無線通信システム８を選択したとする。現在選択している無線通信システム８ｃは、図２５に示すテーブルを用いると、無線通信システム８ｃとの互換性を接続要求条件とした場合の無線通信システム８のクラス分類が図２４に示される。図２４に示すように、動画ストリーミング伝送の通信品質（QoS）は保証した上で、ネットワーク切り替えの容易さを優先してハンドオーバー先の無線通信システム８を選択すると、優先順位が高いクラスに属する無線通信システム８ｂが、通信開始時に選択された無線通信システム８ｃに替わって使用する無線通信システム８として選択されることになる。
【０１３６】
このように、第８の実施形態では、ネットワーク互換性など、現在通信に使用している無線通信システム８に関連する情報を接続要求条件として選択するため、システム間切り替えを迅速かつ不具合なしに行うことができる。
【０１３７】
（第９の実施形態）
第９の実施形態は、複数の無線通信装置のそれぞれに対して、各接続要求条件の重みを設定するものである。
【０１３８】
無線通信装置の第９の実施形態は、図１と同様の構成を備えている。図２６は、アプリケーションが音声通話の場合に、通信開始時と通信中に、複数の無線通信システム８についてそれぞれの接続要求条件に対する適応度に基づいて重み付けし、かつ接続要求条件に対しても優先順位に基づいて重み付けをしたテーブルを示している。
【０１３９】
図２６のテーブルでは、一つの接続要求条件について各無線通信システム８に対して付けられた重みと接続要求条件に対して付けられた重みを乗算し、全ての接続要求条件について乗算したものを加算して、無線通信システム８ごとに、考慮する全ての接続要求条件に対する重みの合計を計算している。
【０１４０】
通信開始時に、使用する無線通信システム８を選択するにあたり、例えばここでは端末のバッテリー残量はまだ十分に残っており、通信コストは犠牲にしても音声通話の品質を保ちたいという要求があったとする。したがって、例えば通信品質（QoS）の接続要求条件に対して重み10を、サービスエリアの接続要求条件に対して重み10を、セル半径の接続要求条件に対して重み10を、消費電力の接続要求条件に対して重み7を、通信コストの接続要求条件に対して重み5を割り与えるとする。複数の無線通信システム８に対して、これらの接続要求条件の適応度を基にして付与した重みを、接続要求条件自身の重みと乗算した後加算合計した結果、最も重みの大きい無線通信システム８ｇが使用する無線通信システム８として選択されることになる。この例では、使用する無線通信システム８を選択するにあたり、５つの接続要求条件を考慮に入れたが、必ずしも考慮する接続要求条件は５つである必要はなく、これ以上でもこれ以下であってもよい。
【０１４１】
次に、通信中に、例えば無線通信システム８ｇの通信品質の劣化に伴うシステム切り替えに備えて、ハンドオーバー先の無線通信システム８の候補を選択するとする。上記5つの接続要求条件に加えて、現在使用している無線通信システム８ｇとの互換性を接続要求条件として考慮に入れるとする。例えば、ここではアプリケーションが音声通話であるため、システム切り替えは瞬時に行われなければいけないことを考慮し、無線通信システム８ｇとの互換性の接続要求条件に対して重み10を割り与える。無線通信システム８ｇ以外の複数の無線通信システム８に対して、これらの接続要求条件の適応度を基にしてつけた重みを、接続要求条件自身の重みと乗算した後加算合計した結果、最も重みの大きい無線通信システム８ｆがハンドオーバー先の無線通信システム８として選択されることになる。
【０１４２】
このように、第９の実施形態では、複数の無線通信システム８に対する接続要求条件についての重み付けと、接続要求条件に対する重み付けを行うことにより、より詳細な接続要求条件の設定が可能となり、最適かつ明確な無線通信システム８の選択が可能となる。
【０１４３】
（第１０の実施形態）
第１０の実施形態は、無線通信システム８の切り替えを不必要に行わないようにするものである。
【０１４４】
図２７は本発明に係る無線通信装置の第１０の実施形態の概略構成を示すブロック図でさる。図２７の無線通信装置は、図１の無線通信装置の構成に加えて、モニター専用のA/D＆D/A変換器１９と、ディジタル部２内に設けられるシステムモニター部２０とを備えている。
【０１４５】
図２８は、アプリケーションが動画ストリーミングの場合に、通信開始時と通信中に、複数の無線通信システム８を接続要求条件に対する適応度に基づいてクラス分類したテーブルである。このテーブルにおいて、特定の接続要求条件を通信品質（QoS）の接続要求条件とし、1つのアプリケーションで通信している間は通信品質（QoS）の接続条件が満たされなくなった場合にのみシステム切り替えを行う。また、通信開始時および通信中においても、このクラス分類のテーブルにしたがって使用する無線通信システム８を選択することとする。ここでは、第１の実施形態と同様に、無線通信装置が、無線通信システム８ａ〜８ｈの８つの無線通信システム８により通信可能であるとしている。
【０１４６】
通信開始時に、優先順位が１位の接続要求条件として通信品質（QoS）の接続要求条件を、優先順位が２位の接続要求条件として通信コストの接続要求条件を、優先順位が３位の接続要求条件として消費電力を用い、使用する無線通信システム８を選択したとする。図２８に示すように、これらの接続要求条件の適応度に基づいて無線通信システム８をクラス分類した結果から、優先順位が高いクラスに属する無線通信システム８ｃが使用する無線通信システム８として選択されることになる。
【０１４７】
無線通信システム８ｃを用いて動画ストリーミング伝送を行っていたが、例えば、他の無線通信システム８との干渉等により、無線通信システム８ｃの通信品質が劣化し、動画ストリーミング伝送に要求される通信品質（QoS）を満たせなくなったとする。すると、通信品質（QoS）の接続要求条件は特定の接続要求条件であるため、他の無線通信システム８へのシステム切り替えを行うことになる。図２８に示されているように、無線通信システム８ｃの次に優先順位の高いクラスに属する無線通信システム８は無線通信システム８ｂであるため、無線通信システム８ｂを選択してシステム切り替えを行う。
【０１４８】
無線通信システム８ｂを用いて通信中に、システムモニター部２０により他システムをモニターした結果、或いは無線通信システム８ｂの基地局からの制御情報により、クラス分類で最も高いクラスに属する無線通信システム８ｃの品質が回復したとする。無線通信システム８ｃはクラス分類で最も高いクラスに属するため、本来は無線通信システム８ｃへ再度ハンドオーバーすることになるが、ここでは、現在使用している無線通信システム８ｂによっても特定の接続要求条件である通信品質（QoS）の接続要求条件の基準は満たしているため、無線通信システム８ｃへはハンドオーバーせず、このまま無線通信システム８ｂによる通信を続けることになる。
【０１４９】
図２９は、アプリケーションが音声通話の場合に、通信開始時と通信中に、複数の無線通信システム８に対して各接続要求条件に対する適応度に基づいて重み付けをし、かつ接続要求条件に対しても優先順位に基づいて重み付けをしたテーブルである。また、通信開始時および通信中においても、この重み付けのテーブルにしたがって使用する無線通信システム８を選択することとする。この方法を用いた場合の、不必要なシステム間ハンドオーバーを回避するための方法について、以下に説明する。
【０１５０】
図２９のテーブルが図２６のテーブルと異なる点は、本実施形態で示した特定の接続要求条件に対応する接続要求条件の重みを、他の接続要求条件に比べて極端に大きく割り与えている点である。例えばここでは、端末のバッテリー残量はまだ十分に残っており、通信コストは犠牲にしても音声通話の品質を保ちたいという要求があったとする。このため、通信品質（QoS）、サービスエリアおよびセル半径の接続要求条件に対する重みを20とし、他の接続要求条件に対する重みよりも極端に大きくしている。そして、これらの要求を満たす無線通信システム８を選択するために、各無線通信システム８の重みの合計に対してしきい値を設け、例えばここでは重みの合計のしきい値を550として、550以上の無線通信システム８はこれらの接続要求条件を満たすとし、それらの無線通信システム８の中から使用する無線通信システム８を選択することとする。即ち、重みの合計が550を下回った場合にのみ、これらの接続要求条件を満たさないと判断し、システム間ハンドオーバーを行うこととする。
【０１５１】
通信開始時に、図２９に示す重みの合計から、最も重みの大きい無線通信システム８ｇが使用する無線通信システム８として選択されることになる。
【０１５２】
無線通信システム８ｇを用いて動画ストリーミング伝送を行っていたが、例えば、ユーザーが地下街等に入り、無線通信システム８ｇのサービスエリアからはずれてしまった等により、無線通信システム８ｇの通信品質が劣化したとする。無線通信システム８ｇの通信品質（QoS）の接続要求条件に対する重みは0となるため、重みの合計は703から503へと減少して550を下回るため、他の無線通信システム８へのハンドオーバーが行われる。重みの合計が550を上回る無線通信システム８は、無線通信システム８ｄ，８ｅ，８ｆであり、これらの中で最も重みの大きい無線通信システム８ｆがハンドオーバー先の無線通信システム８として選択される。
【０１５３】
無線通信システム８ｆを用いて通信中に、無線通信装置の他システムモニター機能により他システムをモニターした結果、或いは無線通信システム８ｆの基地局からの制御情報により、最も大きい重みを持つ無線通信システム８ｇの通信品質が回復したとする。無線通信システム８ｇは最も大きい重みを持つため、本来は無線通信システム８ｇへ再度ハンドオーバーすることになるが、ここでは、現在使用している無線通信システム８ｆによっても重みの合計が550を超え、ここで要求されている接続要求条件の基準は満たしているため、無線通信システム８ｇへは再ハンドオーバーをせず、このまま無線通信システム８ｆによる通信を続けることになる。
【０１５４】
以上の処理手順をまとめると、図３０のようなフローチャートになる。まず、無線通信システム８を選択して（ステップＳ１３１）、通信を開始する（ステップＳ１３２）。その後、選択した無線通信システム８（現システム）の通信品質が劣化したか否かを判定し（ステップＳ１３３）、劣化していない場合には、現システムよりも特性の優れた無線通信システム８が存在するか否かを判定する（ステップＳ１３４）。特性の優れた無線通信システム８が存在する場合には、その無線通信システム８の通信品質が回復したか否かを判定し（ステップＳ１３５）、回復した場合には、現システムは特定の接続要求条件に基づいて分類したクラス１に属するか否かを判定する（ステップＳ１３６）。クラス１に属しない場合には無線通信システム８を再選択する（ステップＳ１３７）。
【０１５５】
一方、ステップＳ１３４またはＳ１３５で判定が否定された場合、あるいはステップＳ１３６で判定が肯定された場合は、ステップＳ１３３の処理を再び行う。また、ステップＳ１３３の判定が肯定された場合もステップＳ１３７の処理を行い、その後、通信が終了したか否かを判定し（ステップＳ１３８）、終了していなければステップＳ１３３以降の処理を繰り返す。
【０１５６】
このように、第１０の実施形態では、特定の接続要求条件の基準を満たさなくなった場合、或いは重みの合計のしきい値を下回った場合にのみ、システム間ハンドオーバーを行うため、不必要なハンドオーバーを回避し、安定した通信を実現することができる。
【０１５７】
（第１１の実施形態）
第１１の実施形態は、優先順位の高い無線通信システム８を優先的にモニターするものである。
【０１５８】
無線通信装置の第１１の実施形態は、図２７と同様の構成を備えている。図３１は、アプリケーションがウェブブラウジングの場合に、接続要求条件の適応度を基に複数の無線通信システム８をクラス分類したテーブルを示す図である。また、通信開始時および通信中においても、このクラス分類のテーブルにしたがって使用する無線通信システム８を選択することとする。本実施形態においても、第１の実施形態と同様に、無線通信装置により通信可能な無線通信システム８は、８つの無線通信システム８ａ〜８ｈを有する。
【０１５９】
図３１に示すように、通信開始時に優先順位が１位の接続要求条件として通信品質（QoS）の接続要求条件を、優先順位が２位の接続要求条件としてサービスエリアの接続要求条件を、優先順位が３位の接続要求条件として通信コストを用い、使用する無線通信システム８を選択したとする。これらの接続要求条件の適応度に基づいて無線通信システム８をクラス分類すると、優先順位が高いクラスに属する無線通信システム８ｅが使用する無線通信システム８として選択されることになる。
【０１６０】
無線通信装置内のシステムモニター部２０は、無線通信システム８ｅにより通信中に、通信品質の劣化等により他の無線通信システム８へハンドオーバーする場合に備えて、複数の無線通信システム８の他の無線通信システム８をモニターしている。他の無線通信システム８のモニターは、他の無線通信システム８を全て均等にモニターしているのではなく、ハンドオーバー先の候補となる無線通信システム８を優先的にモニターしている。
【０１６１】
優先的にモニターする無線通信システム８は、使用する無線通信システム８の選択と同様に図２２に示されるクラス分類のテーブルを用いて選択される。この例では、通信中も通信開始時と同じクラス分類のテーブルを用いて無線通信システム８の選択を行うため、図２２に示されるクラス分類のテーブルにおいて、現在通信に使用している無線通信システム８ｅ以外の無線通信システム８の中で、最も優先順位の高いクラスに属する無線通信システム８ｄが、モニターする最も優先順位の高い無線通信システム８として選択される。
【０１６２】
次の優先順位でモニターする無線通信システム８として、優先順位が１位の通信品質（QoS）の接続要求条件ではクラス１に属するが、優先順位が２位のサービスエリアの接続要求条件では要求不適応に分類される無線通信システム８ｈは選択されず、優先順位が１位の通信品質（QoS）の接続要求条件ではクラス２に属し、優先順位が２位の接続要求条件でもクラス２に属する無線通信システム８ａが選択される。
【０１６３】
なお、優先順位の高い無線通信システム８のモニターは、例えば、時間的により長いモニターである場合もあれば、より頻度が高いモニター、或いはそれらの両方の組み合わせた場合もある。
【０１６４】
このように、第１１の実施形態では、ハンドオーバー先の無線通信システム８をモニターする場合に、無線通信システム８に優先順位をつけて、優先順位の高い無線通信システム８を優先的にモニターするため、ハンドオーバーの際のシステム切り替えをより確実にかつ迅速に行うことが可能となり、ユーザーに対して無線通信システム８の切れ目を感じさせないシームレスな無線通信環境を提供することができる。
【図面の簡単な説明】
【０１６５】
【図１】本発明に係る無線通信装置の一実施形態の概略構成を示すブロック図。
【図２】システム選択制御部１３の内部構成の一例を示すブロック図。
【図３】クラス分類部１７の処理手順の第１例を示すフローチャート。
【図４】図３の処理に従ってクラス分類部１７が作成したテーブルの一例を示す図。
【図５】図４のテーブルが作成された場合に選択部１８が行う処理手順の第１例を示すフローチャート。
【図６】接続要求条件を通信品質ＱoＳとしてクラス分類した場合のテーブルの一例を示す図。
【図７】クラス分類部１７が作成したテーブルの一例を示す図。
【図８】接続要求条件１を消費電力とし、接続要求条件２を回線空き容量として、８つの無線通信システム８ａ〜８ｈを５つのクラスに分類したテーブルの一例を示す図。
【図９】図８のテーブルが作成された場合に選択部１８が行う処理手順の第２例を示すフローチャート。
【図１０】クラス分類部１７が作成したテーブルの一例を示す図。
【図１１】優先順位が１位の接続要求条件１として通信品質（QoS）を、優先順位が２位の接続要求条件としてサービスエリアを、優先順位が３位の接続要求条件として通信コストを、優先順位が４位の接続要求条件として消費電力を設定してクラス分類したテーブルを示す図。
【図１２】図１１のテーブルが作成された場合に選択部１８が行う処理手順の第３例を示すフローチャート。
【図１３】クラス分類部１７の処理手順の一例を示すフローチャート。
【図１４】図１３の処理により作成されるテーブルの一例を示す図。
【図１５】優先順位が１位の接続要求条件１として通信品質（QoS）を、優先順位が２位の接続要求条件としてサービスエリアを、優先順位が３位の接続要求条件として通信コストを、優先順位が４位の接続要求条件として消費電力を設定してクラス分類したテーブルを示す図。
【図１６】クラス分類部１７が作成したテーブルの一例を示す図。
【図１７】アプリケーション１を音声通話、アプリケーション２を動画ストリーミングとし、優先順位が１位の接続要求条件をサービスエリア、優先順位が２位の接続要求条件をセル半径としてクラス分類したテーブルの一例を示す図。
【図１８】アプリケーションが音声通話の場合に、選択部１８が図１７のテーブルに基づいて無線通信システム８を選択する処理手順を示すフローチャート。
【図１９】アプリケーションが動画ストリーミングの場合に、選択部１８が図１７のテーブルに基づいて無線通信システム８を選択する処理手順を示すフローチャート。
【図２０】クラス分類部１７が作成したテーブルの一例を示す図。
【図２１】アプリケーションが音声通話の場合に、通常時とユーザー希望時に複数の無線通信システム８を接続要求条件の適応度に基づいてクラス分類したテーブルを示す図。
【図２２】アプリケーションがTV電話の場合に、端末のバッテリー残量が十分な場合とバッテリー残量が少量の場合に複数の無線通信システム８を接続要求条件の適応度に基づいてクラス分類したテーブルを示す図。
【図２３】アプリケーションが動画ストリーミングの場合に、通信開始時と通信中で複数の無線通信システム８を接続要求条件の適応度に基づいてクラス分類したテーブルの一例を示す図。
【図２４】アプリケーションが動画ストリーミングの場合に、通信開始時と通信中で複数の無線通信システム８を接続要求条件の適応度に基づいてクラス分類したテーブルの一例を示す図。
【図２５】無線通信システムの互換性の度合いを表したテーブルを示す図。
【図２６】重み付けを表したテーブルを示す図。
【図２７】本発明に係る無線通信装置の第１０の実施形態の概略構成を示すブロック図。
【図２８】アプリケーションが動画ストリーミングの場合に、通信開始時と通信中に、複数の無線通信システム８を接続要求条件に対する適応度に基づいてクラス分類したテーブルを示す図。
【図２９】アプリケーションが音声通話の場合に、通信開始時と通信中に、複数の無線通信システム８に対して各接続要求条件に対する適応度に基づいて重み付けをし、かつ接続要求条件に対しても優先順位に基づいて重み付けをしたテーブルを示す図。
【図３０】第１０の実施形態の処理手順の一例を示すフローチャート。
【図３１】アプリケーションがウェブブラウジングの場合に、接続要求条件の適応度を基に複数の無線通信システム８をクラス分類したテーブルを示す図。
【符号の説明】
【０１６６】
１  アナログ部
２  ディジタル部
３  A/D＆D/A変換器
４  切替部
５ａ，５ｂ，５ｃ  アンテナ
６ａ，６ｂ，６ｃ  電力増幅器
７ａ，７ｂ，７ｃ  周波数変換部
１１  ディジタル信号処理部
１２  アプリケーション部
１３  システム選択制御部
１４  メモリ
１５  ユーザーインタフェース部
１７  クラス分類部
１８  選択部
【図１】
2005109722.tif 000003
【図２】
2005109722.tif 000004
【図３】
2005109722.tif 000005
【図４】
2005109722.tif 000006
【図５】
2005109722.tif 000007
【図６】
2005109722.tif 000008
【図７】
2005109722.tif 000009
【図８】
2005109722.tif 000010
【図９】
2005109722.tif 000011
【図１０】
2005109722.tif 000012
【図１１】
2005109722.tif 000013
【図１２】
2005109722.tif 000014
【図１３】
2005109722.tif 000015
【図１４】
2005109722.tif 000016
【図１５】
2005109722.tif 000017
【図１６】
2005109722.tif 000018
【図１７】
2005109722.tif 000019
【図１８】
2005109722.tif 000020
【図１９】
2005109722.tif 000021
【図２０】
2005109722.tif 000022
【図２１】
2005109722.tif 000023
【図２２】
2005109722.tif 000024
【図２３】
2005109722.tif 000025
【図２４】
2005109722.tif 000026
【図２５】
2005109722.tif 000027
【図２６】
2005109722.tif 000028
【図２７】
2005109722.tif 000029
【図２８】
2005109722.tif 000030
【図２９】
2005109722.tif 000031
【図３０】
2005109722.tif 000032
【図３１】
2005109722.tif 000033